(57)【特許請求の範囲】
【請求項１】
椅子の背もたれ部にヘッドレストを少なくとも同一軸心上に配置した２つの取付具を介して同軸心回りに回転可能に取り付ける際の取付構造であって、
前記取付具は、
背もたれ部若しくはヘッドレストの何れか一方に設けられた、外周が略円筒状をなしている本体に突出部を備えた軸部分と、
他方に設けられた、外周が前記軸部分の本体と略面一な略円筒状をなしている本体に前記突出部が挿入されるための凹部を備えた軸受部分とから構成され、
かつこれら軸部分及び軸受部分のうち少なくとも一方が、前記軸心に対して概略垂直方向に沿って対応する背もたれ部若しくはヘッドレストに対して着脱可能であるように構成されており、
前記軸部分の本体と前記軸受部分の本体とがともに、前記突出部が前記凹部に挿入され双方の対向面同士を対面させて近接させた状態で背もたれ部とヘッドレストとの間の領域に表出しており、
前記軸部分の本体の対向面から前記突出部の先端に向かって突出しかつその突出量が突出部の長さに比べて短い肉厚部分が、前記軸受部分の本体の対向面に連続し中心軸方向から見て一定の角度領域にわたって切り欠かれた切欠部分の対をなす端面の何れかに選択的に接触することにより、軸部分と軸受部分との相対的な回転角度を所定範囲に規制することを特徴とするヘッドレストの取付構造。
【請求項２】
執務等に適した使用姿勢をとることができるのみならず、安息やリフレッシュに適した姿勢等を適宜選択的にとることをも可能にするために、背もたれ部及び座部を連動させてロッキングさせるロッキング機構を備えた椅子の背もたれ部にヘッドレストを取り付ける際の取付構造であって、
前記軸受部分に挿入されたねじのねじ込みの度合いに応じて、前記軸部分と軸受部分との相対回転に必要なトルクの大きさが変化する請求項１記載のヘッドレストの取付構造。
【請求項３】
前記突出部が概略円柱形状であり、前記凹部が概略丸穴である、請求項１又は２記載のヘッドレストの取付構造。
【請求項４】
前記着脱可能であるように構成された軸部分又は軸受部分には、前記軸心に対して概略垂直方向に突出しているような挿入端が設けられ、
当該軸部分又は軸受部分に対応する背もたれ部若しくはヘッドレストには、前記挿入端に対応する差込口が設けられて、
前記挿入端を前記差込口に抜き差しすることで前記軸部分又は軸受部分と背もたれ部若しくはヘッドレストとが着脱可能であるように構成されていることを特徴とする、請求項１、２又は３記載のヘッドレストの取付構造。
【請求項５】
前記軸受部分には、前記軸心に対して概略垂直方向に、外壁を貫通して前記凹部に至る孔が設けられて、
この孔にねじを挿入して当該ねじの先端を前記凹部に挿入された前記突出部に接触させることができるようにしている、請求項１、２、３又は４記載のヘッドレストの取付構造。
【請求項６】
前記軸受部分には、前記軸心に対して概略垂直方向に、外壁を貫通して前記凹部に至る孔が設けられ、
軸芯が中空の雌ねじとなっているねじを前記孔に挿入してねじ止めすることで、当該軸受部分が前記軸心に対して概略垂直方向に沿って対応する背もたれ部若しくはヘッドレストから着脱可能であるように構成されており、
かつ、前記雌ねじにさらに他のねじをねじ込み、前記他のねじの先端が前記突出部に接触させることができるようにしている、請求項１、２、３又は４記載のヘッドレストの取付構造。
【発明の詳細な説明】
【０００１】
【発明の属する技術分野】
本発明は、椅子のヘッドレストの取付構造に関するものである。
【０００２】
【従来の技術】
ある部材に他の部材を取り付けるための手段には、様々なものが存在している。そのなかで、ある部材と他の部材とが成す角度を可変のものとしたい場合、即ち、部材の一端を軸として回転できるような取付の構造を実現したい場合に用いられる一般的な手段としては、ヒンジ機構を構成するものが挙げられる。例えば、図１４に示すような蝶番を使用して、部材と部材とを結合することができる。
【０００３】
家具等を製造する際にも、ある部材を別の部材に取り付けるという工程が当然に存在する。そして、例えば椅子製品の背もたれとヘッドレストとの関係のように、部材と部材とが成す角度が可変であるように構成する方が望ましいと考えられることも多い。図１４に示す蝶番７を使用する等の既存のヒンジ機構を採用すれば、上記の要求を満たすことは可能である。しかし、意匠デザインの妨げとなり、さらには製品の格調を損なうことがある。
【０００４】
【発明が解決しようとする課題】
本発明は、製品の格調を損なうことなく、椅子の背もたれ部にヘッドレストを角度調整可能に取り付けることを目的としている。
【０００５】
【課題を解決するための手段】
本発明に係るヘッドレストの取付構造は、椅子の背もたれ部にヘッドレストを少なくとも同一軸心上に配置した２つの取付具を介して同軸心回りに回転可能に取り付ける際の取付構造であって、前記取付具は、背もたれ部若しくはヘッドレストの何れか一方に設けられた、外周が略円筒状をなしている本体に突出部を備えた軸部分と、他方に設けられた、外周が前記軸部分の本体と略面一な略円筒状をなしている本体に前記突出部が挿入されるための凹部を備えた軸受部分とから構成され、かつこれら軸部分及び軸受部分のうち少なくとも一方が、前記軸心に対して概略垂直方向に沿って対応する背もたれ部若しくはヘッドレストに対して着脱可能であるように構成されており、前記軸部分の本体と前記軸受部分の本体とがともに、前記突出部が前記凹部に挿入され双方の対向面同士を対面させて近接させた状態で背もたれ部とヘッドレストとの間の領域に表出しており、前記軸部分の本体の対向面から前記突出部の先端に向かって突出しかつその突出量が突出部の長さに比べて短い肉厚部分が、前記軸受部分の本体の対向面に連続し中心軸方向から見て一定の角度領域にわたって切り欠かれた切欠部分の対をなす端面の何れかに選択的に接触することにより、軸部分と軸受部分との相対的な回転角度を所定範囲に規制することを特徴とする。
【０００６】
執務等に適した使用姿勢をとることができるのみならず、安息やリフレッシュに適した姿勢等を適宜選択的にとることをも可能にするために、背もたれ部及び座部を連動させてロッキングさせるロッキング機構を備えた椅子の背もたれ部にヘッドレストを取り付ける際の取付構造としては、前記軸受部分に挿入されたねじのねじ込みの度合いに応じて、前記軸部分と軸受部分との相対回転に必要なトルクの大きさが変化するものとすることが好ましい。
【０００７】
前記着脱可能であるように構成された軸部分又は軸受部分には、前記軸心に対して概略垂直方向に突出しているような挿入端を設け、当該軸部分又は軸受部分に対応する背もたれ部若しくはヘッドレストには、前記挿入端に対応する差込口を設けて、前記挿入端を前記差込口に抜き差しすることで前記軸部分又は軸受部分と背もたれ部若しくはヘッドレストとが着脱可能であるように構成されるものとすれば、上記の軸部分または軸受部分と背もたれ部若しくはヘッドレストとの結合を構造的に安定なものとしながらも当該結合部分を隠蔽できる。よって、家具製品等の製造により好適となる。
【０００８】
また、例えば、前記軸受部分に、前記軸心に対して概略垂直方向に、外壁を貫通して前記凹部に至る孔を設けて、この孔にねじを挿入して当該ねじの先端を前記凹部に挿入された前記突出部に接触させることができることができるようにしておけば、背もたれ部とヘッドレストとが成す角度を調整する際に要するトルクの強弱を設定できるものとなる。背もたれ部とヘッドレストとが成す角度を固定することも可能になる。
【０００９】
あるいは、前記軸受部分には、前記軸心に対して概略垂直方向に、外壁を貫通して前記凹部に至る孔が設けられ、軸芯が中空の雌ねじとなっているねじを前記孔に挿入してねじ止めすることで、当該軸受部分が前記軸心に対して概略垂直方向に沿って対応する背もたれ部若しくはヘッドレストから着脱可能であるように構成されており、かつ、前記雌ねじにさらに他のねじをねじ込み、前記他のねじの先端が前記突出部に接触させることができるようにした場合、上記の軸受部分に設けられた孔は、背もたれ部若しくはヘッドレストとの結合とトルクの設定との２つの用途に利用される。
【００１０】
【００１１】
【００１２】
【００１３】
【００１４】
【発明の実施の形態】
以下、本発明の一実施形態を、図を参照して説明する。図２及び図３は、本発明の一実施形態に係る椅子の正面図並びに側面図である。この椅子は、ベース脚８に背もたれ部２及び座部９を支持させてなるもので、執務等に適した使用姿勢をとることができるのみならず、安息やリフレッシュに適した姿勢等を適宜選択的にとることをも可能にするために、ベース脚８に、あるいはベース脚８と背もたれ部２、座部９等との間に、背座の高さ調整を行う昇降機構Ｐ、背もたれ部２及び座部９を連動させてロッキングさせるロッキング機構Ｑ、ストレッチ等のために背もたれ部２の上方部分のみを後傾させる背もたれ上部傾動機構Ｒ、並びに、腰骨を選択的に押圧するため等に利用される背もたれ下部傾動機構Ｓを設けていることを大きな特長としている。以上のような構成において、本実施形態は、第一の部材たる背もたれ部２に、第二の部材たるヘッドレスト３を角度調整可能に取り付けるという目的を達成するものである。
【００１５】
本実施形態において用いられる取付具１を、図１に示す。この取付具１は、軸受部分として機能する軸受部材１１と、軸部分として機能する軸部材１２との２つの部材からなり、両者を組み合わせることによってヒンジ機構を構成するものである。取付具１は通常、アルミダイキャスト等の剛性材料によって製造される。
【００１６】
図４に示すように、軸受部材１１は、概略丸穴形状の凹部１１１を備えた本体に、当該軸受部材１１の外壁を貫通して前記凹部１１１に至るねじ孔１１２ａを備えた挿入端１１２を突き出して設けたものである。そして、前記凹部１１１の入口側の内面を一部切り欠いてある。凹部１１１の中心軸方向から軸受部材１１を見たとき、この切欠部分１１１ａは２１０度の角度にわたって設けられている。ちなみに、軸受部材１１の外面には前記挿入端１１２と平行してピン１１３が設けられている。このピン１１３は、当該軸受部材１１を部材に取り付ける際に、軸受部材１１と部材との相対位置を固定するために働く。なお、本実施形態においては、後述するように２つの取付具１を左右に配置する。図４に示す軸受部材１１は、椅子に着座した者にとって右側に配置される取付具１の構成要素となるものである。左側に配置される取付具１の構成要素となる軸受部材１１については、切欠部分１１１ａが図４左図をちょうど左右反転した形になる。
【００１７】
図５に示すように、軸部材１２は、概略円柱形状の突出部１２１を備えた本体に、前記突出部１２１の中心軸に対して垂直な方向にねじをねじ込むことができるねじ穴１２２ａを備えた挿入端１２２を突き出して設けたものである。また、突出部１２１には樹脂製のカラー１２１ｂが被せてある。そして、突出部１２１の根元には前記切欠部分１１１ａの形状にほぼ対応する肉厚部分１２１ａが設けられている。突出部１２１の中心軸から軸部材１２を見たとき、この肉厚部分１２１ａはちょうど１８０度の角度にわたって設けられている。
【００１８】
軸部材１２の突出部１２１を軸受部材１１の凹部１１１内に挿入してヒンジ機構を構成したとき、図６の断面図に示すように、前記切欠部分１１１ａの一方の端面と前記肉厚部分１２１ａの一方の端面とが接触しない範囲において、突出部１２１を軸として軸部材１２と軸受部材１１とが相対的に回転することができる。言い換えるならば、切欠部分１１１ａの一方の端面と肉厚部分１２１ａの一方の端面とが接触することによって、回転角度を所定範囲に規制することができるのである。本実施形態においては、軸部材１２が軸受部材１１に対して角度３０度の範囲で回転可能となる。なお、図６の断面図は、椅子に着座した者にとって右側に配置される取付具１を、椅子の幅方向に内から外を向いて見た場合の図である。
【００１９】
本実施形態の椅子の背もたれ部２は、背もたれ下部フレーム２２と、背もたれ上部フレーム２１と、これら両フレーム２１、２２の間に図示しない弾性部材を介して架け渡した張り部材２３とを具備してなるものである。そして、図７に示すように、背もたれ部２の上端部分、即ち背もたれ上部フレーム２１の上端部分にも、フレーム幅の中心線に対象となるような位置に、当該フレームを貫通する２つの貫通孔２１１が開けられている。貫通孔２１１は、上述の軸受部材１１の挿入端１１２を挿入するための差込口として機能するものである。ちなみに、上記貫通孔２１１の近くに設けられているピン穴２１２は、上述の軸受部材１１の下部に設けられているピン１１３が挿入されて、当該軸受部材１１を固定するために働く。
【００２０】
本実施形態の椅子に装備されるヘッドレスト３は、簡易に製造できてかつ使い心地がよいものであるように開発されたもので、上端が開放されているように構成されたフレーム３１と、フレームによって支持される、頭部を支えるための弾性部材３２とを具備してなるものである。図８に示すように、フレーム３１は概略コの字形であり、ヘッドレスト使用者（椅子に着座した者）にとって概略正面にあたる方向に向けて凸になっている。そして、フレーム３１の下端部分には、フレーム幅の中心線に対象となるような位置に２つの貫通孔３１１が開けられている。貫通孔３１１は、上述の軸部材１２の挿入端１２２を挿入するための差込口として機能するものである。貫通孔３１１の位置は、上述の背もたれ上部フレーム２１に設けられた貫通孔２１１の位置及び取付具１の２つの挿入端１１２、１２２の間の距離に応じて決定される。弾性部材３２は、フレーム３１にテンション材を張ることによってなるものであり、本実施形態においては、ダブルラッセル編み地を袋状に形成したものをテンション材として採用している。即ち、当該ヘッドレスト３は、袋状に形成したダブルラッセル編み地をフレーム３１に被せることによって構成される。
【００２１】
以下、背もたれ部２にヘッドレスト３を取り付ける際の取付手順について述べる。まず、背もたれ上部フレーム２１に軸受部材１１を取り付ける。軸受部材１１の挿入端１１２を背もたれ上部フレーム２１に設けられた貫通孔２１１に、軸受部材１１のピン１１３をピン穴２１２に、それぞれ挿入する。次に、背もたれ上部フレーム２１の内側から貫通孔２１１にねじ４を挿入し、当該ねじ４を上記挿入端１１２のねじ孔１１２ａにねじ込む。このとき使用されるねじ４は、軸芯が中空の雌ねじになっているものである。そして、当該軸受部材１１に軸部材１２を挿入する。ここまでの手順を踏んだ結果、図９の断面図に示すような状態になる。ちなみに断面図は、椅子に着座した者にとって右側、椅子の後側から見た図である。続いて、上記ねじ４の軸芯に位置する中空の雌ねじ孔４１に、雌ねじの寸法に対応する雄ねじ５をねじ込む。この雄ねじ５は十分な長さのものであって、雌ねじ孔４１にねじ込んだ際にその先端が軸部材１２の突出部１２１に接触する。当該雄ねじ５のねじ込みの度合いに応じて、雄ねじ５の先端と突出部１２１のカラー１２１ｂとの間の摩擦の大きさが変化する。即ち、軸受部材１１と軸部材１２との相対回転に必要なトルクの大きさが変化する。よって、椅子の使用者が十分大きな力を加えることによってヘッドレスト３の角度を変えることができる程度に、当該雄ねじ５をねじ込むようにする。ここまでの手順を踏んだ結果を図１０の断面図に示す。
【００２２】
上述の手順で、背もたれ上部フレーム２１の左右の貫通孔２１１に取付具１を取り付ける。ここで重要なことは、左右の取付具１についての、軸部材１２の突出部１２１の突出方向、即ち軸部材１２の軸受部材１１への挿入方向が、ちょうど反対方向になっていることである。
【００２３】
背もたれ上部フレーム２１に取り付けた取付具１を介して、背もたれ部２にヘッドレスト３を取り付ける手順に関して、図１１に示す。ヘッドレスト３のフレーム３１を、２つの貫通孔３１１に左右の軸部材１２の挿入端１２２を通すようにして、上方からはめ込む。これによって、軸受部材１１からの軸部材１２の離脱が防止される。しかる後、貫通孔３１１にねじ６を挿入し、当該ねじ６を上記挿入端１２２のねじ穴１２２ａにねじ込む。ここ間での手順を踏んだ結果を図１２の断面図に示す。以上によって、背もたれ上部フレーム２１にヘッドレスト３のフレーム３１を取り付けることができる。最後に、先述した袋状のテンション材３２をヘッドレスト３のフレーム３１に被せることによって、椅子の背もたれ部２へのヘッドレスト３の取付作業が完了する。テンション材３２を被せることによって、ヘッドレスト３のフレーム３１と軸部材１２とを締結しているねじ６は隠蔽される。
【００２４】
既に述べたように、取付具１は、軸部材１２の突出部１２１を回転軸として軸部材１２と軸受部材１１とが相対回転するものであるから、図１３に示すように、背もたれ部２とヘッドレスト３との間の角度の変更が可能となる。加えて、軸受部材１１の孔１１２ａに挿入された雄ねじ５によって、角度の変更に要するトルクの大きさが適当に調整されており、頭を載せたときにはヘッドレスト３は動かずにこれを支え、手で力を加えたときにはヘッドレスト３の角度が調整できるようになっている。また、凹部１１１の内面の切欠部分１１１ａと突出部１２１の肉厚部分１２１ａとが係合することによって、角度の変更の範囲が規制されており、本実施形態では３０度の角度にわたってヘッドレスト３の角度を変化させることができる。
【００２５】
従って本実施形態によれば、一方の軸部材１２の突出部１２１の突出の方向と、他方の軸部材１２の突出部１２１の突出の方向とが、互いに反対の方向となるようにして、ヒンジ機構を内包する２つの取付具１を背もたれ部２の上端とヘッドレスト３との間に介在させ、ヘッドレスト３と軸部材１２と、背もたれ部２と軸受部材１１とが、それぞれ前記突出部１２１の前記凹部１１１への挿入方向、言い換えるならば、回転軸の軸心に対して概略垂直方向に沿って着脱可能であるように構成されている。このようなものであるならば、回転軸たる突出部１２１の先端は露出することがなく、家具製品である椅子の製造に好適に使用できる。また、背もたれ部２とヘッドレスト３との（椅子の幅方向の）相対移動を規制しなくとも、軸部材１２と軸受部材１１とが分離することがない。よって、背もたれ上部フレーム２１あるいはヘッドレスト３のフレーム３１の形状を複雑にする必要がない。加えて、軸部材１２と軸受部材１１とによって構成される取付具１もまた、比較的単純な形状を有するものである。結論として、製造コストを徒に増大させることなく当該取付構造を実装することが可能である。
【００２６】
軸部材１２の突出部１２１を概略円柱形状とし、軸受部材１１の凹部１１１を概略丸穴としているから、背もたれ部２とヘッドレスト３とが成す角度をスムーズに調整できる。
【００２７】
前記着脱可能であるように構成された軸部材１２及び軸受部材１１には、前記軸心に対して概略垂直方向に突出しているような挿入端１２２、１１２を設け、背もたれ上部フレーム２１及びヘッドレスト３のフレーム３１には、前記挿入端１２２、１１２に対応する差込口である貫通孔２１１、３１１を設けて、前記挿入端１２２、１１２を前記貫通孔２１１、３１１に抜き差しすることで前記軸部材１２及び軸受部材１１と部材とが着脱可能であるように構成されるものとすれば、上記の軸部材１２または軸受部材１１と部材との結合を構造的に安定なものとしながらも当該結合部分を隠蔽できる。よって、家具製品等の製造により好適となる。
【００２８】
また、前記軸受部材１１に、前記軸心に対して概略垂直方向に、外壁を貫通して前記凹部１１１に至るねじ孔１１２ａを設けて、このねじ孔１１２ａに雄ねじ５を挿入して当該雄ねじ５の先端を前記凹部１１１に挿入された前記突出部１２１に接触させることができることができるようにしておけば、背もたれ部２とヘッドレスト３とが成す角度を調整する際に要するトルクの強弱を設定できるものとなる。
【００２９】
さらに、背もたれ上部フレーム２１と軸受部材１１とが、前記ねじ孔１１２ａに挿入される、軸芯が中空の雌ねじとなっているねじ４によってねじ止めされるものであって、ねじ４の雌ねじ孔４１にさらに他の雄ねじ５をねじ込み、前記雄ねじ５の先端を前記突出部１２１に接触させることができるようにした場合、上記の軸受部材１１に設けられたねじ孔１１２ａは、背もたれ上部フレーム２１との結合とトルクの設定との２つの用途に利用される。
【００３０】
以上のように構成された部材の取付構造を、椅子製品の背もたれ部２にヘッドレスト３を取り付ける際に採用すれば、ユーザが任意に背もたれ部２とヘッドレスト３との間の角度を調整することができるようになる。
【００３１】
加えて、前記軸受部材１１の凹部１１１には、前記凹部１１１の入口側の内面を一定の角度領域にわたって一部切り欠いた切欠部分１１１ａを設け、前記軸部材１２の突出部１２１には、前記切欠部分１１１ａの位置に対応する位置に、前記切欠部分１１１ａよりも小さい角度領域にわたって肉厚部分１２１ａを設けている。切欠部分１１１ａや肉厚部分１２１ａを設けるという、比較的容易な加工によって、別途回転を制止するための機構を設けることなく、軸受部材１１と軸部材１２との相対的な回転を所定の角度の範囲に抑制することができる。
【００３２】
本実施形態に係る部材の取付構造を実現するために使用される取付具１は、概略円柱形状の突出部１２１と前記突出部１２１の中心軸に対して概略垂直方向にねじをねじ込むことができるねじ穴１２２ａとを備えて、前記軸部分として機能する軸部材１２と、概略丸穴の凹部１１１と前記凹部１１１の中心軸に対して概略垂直方向に外壁を貫通して前記凹部１１１に至るねじ孔１１２ａとを備えて、前記軸受部分として機能する軸受部材１１とによって構成するのがよい。
【００３３】
さらに、前記軸受部材１１の凹部１１１には、前記凹部１１１の入口側の内面を一定の角度領域にわたって一部切り欠いた切欠部分１１１ａを設け、前記軸部材１２の突出部１２１には、前記切欠部分１１１ａの位置に対応する位置に、前記切欠部分１１１ａよりも小さい角度領域にわたって肉厚部分１２１ａを設けて、前記軸受部材１１分と前記軸部材１２とが所定の角度の範囲に相対的に回転可能であるように構成してもよい。
【００３４】
なお、本発明は以上に詳述した実施形態に限られるものではない。背もたれ部若しくはヘッドレストと、軸部材１２あるいは軸受部材１１との結合の方法は、必ずしもねじ止めでなくともよい。
【００３５】
その他各部の具体的構成は上記実施形態に限られるものではなく、本発明の趣旨を逸脱しない範囲で種々変形が可能である。
【００３６】
【発明の効果】
本発明によれば、製品の格調を損なうことなく、椅子の背もたれ部にヘッドレストを角度調整可能に取り付けることができる。
【図面の簡単な説明】
【図１】  本発明の一実施形態において用いられる取付具を示す斜視図。
【図２】  本発明の一実施形態に係る椅子の正面図。
【図３】  同側面図。
【図４】  同実施形態おいて用いられる軸受部材を示す平面図。
【図５】  同実施形態において用いられる軸部材を示す平面図。
【図６】  取付具の縦断面図。
【図７】  背もたれ上部フレームを示す部分斜視図。
【図８】  ヘッドレストを示す平面図。
【図９】  本実施形態に係る要部縦断面図。
【図１０】  本実施形態に係る要部縦断面図。
【図１１】  ヘッドレストの構成を模式的に表す図。
【図１２】  本実施形態に係る要部縦断面図。
【図１３】  本実施形態において得られる効果を模式的に表す図。
【図１４】  従来技術を例示する図。
【符号の説明】
１…取付具
１１…軸受部材
１１１…凹部
１１１ａ…切欠部分
１１２…挿入端
１１２ａ…ねじ孔
１２…軸部材
１２１…突出部
１２１ａ…肉厚部分
１２２…挿入端
１２２ａ…ねじ穴
２…背もたれ部
２１…背もたれ上部フレーム
２１１…貫通孔
３…ヘッドレスト
３１…フレーム
３１１…貫通孔
４…ねじ
５…雄ねじ
６…ねじ
【図１】
0004707286.tif 000002
【図２】
0004707286.tif 000003
【図３】
0004707286.tif 000004
【図４】
0004707286.tif 000005
【図５】
0004707286.tif 000006
【図６】
0004707286.tif 000007
【図７】
0004707286.tif 000008
【図８】
0004707286.tif 000009
【図９】
0004707286.tif 000010
【図１０】
0004707286.tif 000011
【図１１】
0004707286.tif 000012
【図１２】
0004707286.tif 000013
【図１３】
0004707286.tif 000014
【図１４】
0004707286.tif 000015